(57)【要約】  それを横切る分割線（１８）を有する基部（１２）と、薄いヒンジによって基部（１２）に連結される２つのフラップ（１４）とを備えるコンドームアプリケータ（１０）を開示する。タブ（１６）はフラップ（１４）から突出している。基部（１２）は、谷（２２）を囲む概ね平行な壁（２４、２８）と底部（２６）とを有している。谷は、コンドームの縁リングを受ける。内壁（２４）で囲まれる開口部が基部に存在する。フラップ（１４）を上に折り畳むと、フラップ（１４）の領域（４４）は、壁（２４）と領域（４４）との間に間隙（Ｇ）を残して谷を覆う。タブ（１６）は前記開口部を横断して広がる。コンドームの乳頭状突起は開口部全体に位置する。【選択図】  図１
2007537026.tif 000002
【特許請求の範囲】
【請求項１】
少なくとも２つの分離可能なパーツを備える基部を具備するコンドームのアプリケータであって、
前記パーツの各々が、谷部分を有し、前記２つのパーツの前記谷部分が共働してコンドームの縁リングを受けるための上方に開口した谷を画定し、前記谷が、内周方向に延びる壁および外周方向に延びる壁を有し、少なくとも２つのフラップが、前記内周方向に延びる壁とフラップの縁部との間の円周方向に延びる間隙を残す一方で前記谷を覆う領域を有するアプリケータ。
【請求項２】
前記谷が平面視で円形である、請求項１に記載のアプリケータ。
【請求項３】
前記谷が平面視で楕円形である、請求項１に記載のアプリケータ。
【請求項４】
１つ以上の脆弱なブリッジによって結合された２つの基部パーツを備え、前記各基礎パーツが谷の片方を有する、請求項１に記載のアプリケータ。
【請求項５】
前記フラップがフィルムヒンジによって前記基部パーツに連結されている、請求項１〜４のいずれか一項に記載のアプリケータ。
【請求項６】
前記谷の前記内壁および外壁が、前記谷がその開口部においてその底部におけるよりも幅が広くなるように広がっている、請求項１〜５のいずれか一項に記載のアプリケータ。
【請求項７】
前記谷の双方の壁が傾斜する、請求項６に記載のアプリケータ。
【請求項８】
前記谷の一方の壁が垂直であり、他方が傾斜する、請求項６に記載のアプリケータ。
【請求項９】
前記各フラップの前記領域が、前記各フラップの残部の高さより上にあり、前記領域と前記残部とを結合する傾斜壁が存在する、請求項１〜８のいずれか一項に記載のアプリケータ。
【請求項１０】
前記内壁の上縁部が、前記フラップの前記領域の高さよりも上の高さにあり、それによって、前記間隙が、前記フラップの縁部と前記内壁の外側に面する表面との間に画定される、請求項１〜９のいずれか一項に記載のアプリケータ。
【請求項１１】
コンドームの乳頭状突起を押し付けられた状態に保つためのタブを有する、請求項１〜１０のいずれか一項に記載のアプリケータ。
【請求項１２】
前記タブが、フィルムヒンジによって前記フラップに連結され、前記谷の前記内壁によって囲まれる前記アプリケータ内の前記開口部を横断して存在する、請求項１１に記載のアプリケータ。
【請求項１３】
前記基部を形成する２つの別個の基部パーツと２つの別個のフラップパーツとを備え、前記各基部パーツを前記フラップパーツの一方に固定することを可能にする手段が存在する、請求項１に記載のアプリケータ。
【請求項１４】
前記２つの基部パーツが、脆弱なブリッジによって互いに連結され、前記２つのフラップパーツが、脆弱なブリッジによって互いに連結されるという変更を有する、請求項１３に記載のアプリケータ。
【請求項１５】
前記連結手段が、受け口にはめ込まれるロックタブを備える、請求項１３または１４に記載のアプリケータ。
【請求項１６】
前記コンドームの前記縁リングが前記谷内にあり、前記コンドームの前記側壁が前記間隙内にあり、前記コンドームの前記乳頭状突起の端部が、前記内壁によって囲まれる前記アプリケータ内の前記開口部全体に延びる、請求項１〜１５のいずれか一項に記載のアプリケータとコンドームとの組合せ。
【請求項１７】
２枚の材料部片を備えるパッケージであって、前記各材料部片が、その両側に合成プラスチック材料を有するアルミニウム箔の積層体であり、前記２つの材料部片がその縁部のまわりでヒートシールされ、プラスチックの外層にわたってミシン目の見当合わせの線、およびこれらの線の端部の材料に切れ目が存在するパッケージ。
【請求項１８】
前記積層体が、前記外層を構成するポリエステルと、前記内層を構成するポリエチレンと、これらの層の間のアルミニウムとを備える、請求項１７に記載のパッケージ。
【発明の詳細な説明】
【発明の分野】
【０００１】
本発明はコンドームのアプリケータ（装着具）に関する。
【関連技術の説明】
【０００２】
コンドームの取り付け、および既知のアプリケータに固有の問題が、国際公開第０２／０６９８６１Ａ１号パンフレットで論じられている。本ＰＣＴ明細書には、たとえば米国明細書第４８７５４９１号で示されている従来技術で開示されたものに対する改良となるアプリケータが開示される。
【０００３】
本発明は、さらに改良されたコンドームアプリケータを提供することを目的とする。
【発明の簡単な説明】
【０００４】
本発明の一態様によれば、少なくとも２つの分離可能なパーツを備える基部を具備するコンドームアプリケータであって、各パーツが谷部分を有し、これらのパーツの谷部分が共働して、コンドームの縁リングを受けるための上方に開口した谷を画定し、谷が、内周方向に延びる壁および外周方向に延びる壁を有し、少なくとも２つのフラップが、前記内周方向に延びる壁とフラップの縁部との間の円周方向に延びる間隙を残す一方で谷を覆う領域を有するコンドームアプリケータが提供される。
【０００５】
谷は平面視において円形であることが好ましいが、楕円形であってもよい。
【０００６】
前記アプリケータは、好ましくは、１つ以上の脆弱なブリッジによって結合された基部パーツを備え、各パーツは谷の半分をその中に有している。
【０００７】
前記フラップは、好ましくは、フィルムヒンジによって前記基部パーツに連結されている。
【０００８】
谷の前記内壁および外壁は、谷がその開口部においてその底部におけるよりも幅が広くなるように広がることが好ましい。双方の壁が傾斜してもよく、また一方が垂直であり、他方が傾斜してもよい。
【０００９】
各フラップの前記領域は、各フラップの残部の高さよりも低くてもよく、前記領域と前記残部を結合する傾斜壁が存在する。
【００１０】
前記内壁の上縁部は、好ましくは、フラップの前記領域の高さよりも上方の高さにあり、それによって、前記間隙が、フラップの縁部と前記内壁の外側に面する表面との間に画定される。
【００１１】
コンドームの乳頭状突起を押し付けられた状態に保つためのタブを設けることができる。タブは、フィルムヒンジによってフラップに連結されてもよく、また谷の内壁によって囲まれるアプリケータ内の開口部を横断して存在することができる。タブはそれぞれ、前記開口部を完全に横断して延びてもよく、また開口部を部分的に横断して延びてもよい。
【００１２】
アプリケータは、基部を形成する２つの別個の基部パーツと２つの別個のフラップパーツとを備えることができ、各基部パーツをフラップパーツの一方に固定することを可能にする手段が存在する。
【００１３】
この形式の変更態様においては、前記２つの基部パーツが、脆弱なブリッジによって互いに連結され、２つのフラップパーツが、脆弱なブリッジによって互いに連結される。
【００１４】
連結手段は、好ましくは、受け口にはめ込まれるロックタブを備える。
【００１５】
本発明のさらなる態様によれば、コンドームの縁リングが前記谷内にあり、コンドームの側壁が前記間隙内にあり、コンドームの乳頭状突起の端部が、前記内壁によって囲まれるアプリケータ内の開口部全体に延びる上記記載のアプリケータとコンドームとが共に提供される。
【００１６】
本発明の他の態様によれば、２枚の材料部片を備えるパッケージであって、各材料部片が、その両側に合成プラスチック材料を有するアルミニウム箔の積層体であり、前記部片がその縁部のまわりでヒートシールされ、プラスチックの外層にわたるミシン目の見当合わせの線、およびこれらの線の端部における材料の切れ目が存在するパッケージが提供される。
【００１７】
積層体は、外層用のポリエステル、アルミニウム、次いで内層用のポリエチレンであることが好ましい。
【００１８】
本発明をより理解するために、また同一のものをどのようにして実施することができるかを示すために、ここで一例として添付の図面を参照することにする。
【図面に沿っての詳細な説明】
【００１９】
まず図１から図４を参照すると、アプリケータ１０は、１２で表された基部、２つのフラップ１４および２つのタブ１６を備えている。
【００２０】
基部１２は、それらの間に分割線１８を有する２つのパーツ１２．１と１２．２とに形成されている。コンドームを包装する間にパーツ１２．１および１２．２が分離しないようにするために、薄いウェッブ（図示せず）を分割線１８に架橋することができる。線１８に沿って破ることが必要となるとき、かかる動作にこれらのウェッブがもたらす抵抗はわずかである。
【００２１】
基部１２は、それぞれが半円形の谷２２を結合する２つの平面部分２０を備えている。各谷２２は、半径方向内壁２４（特に図４を参照）、底部壁２６および半径方向外壁２８によって囲まれている。壁２４は、部分２０の高さを超えて突出している。壁２４は半径方向内方に傾斜しており、壁２８は半径方向外方に傾斜している。したがって、谷の底部２６は、半径方向で測定すると、同じ方向で測定した谷の開口部よりも幅が狭い。
【００２２】
インターロックピン３０は部分２０から上方へ突出しており、また補強リム３２は基部１２の下面の外縁部の周りに延びている。
【００２３】
フラップ１４は、谷２２から離隔したパーツ１２．１、１２．２の縁部にフィルムヒンジ３４によって接合されている。各フラップは平面領域３６を備えている。各領域３６の一縁部は、フィルムヒンジ３４によって基部１２に接合されている。補強フランジ３８は、領域３６から上方へ突出している。
【００２４】
各フラップ１４は、その残りの縁部に沿った半円形の凹部４０を有している。凹部は、円周方向に延びている半円形の傾斜壁４２と半円形の平坦領域４４とを有しており、この傾斜壁４２および平坦領域４４は図２および４に最良に示されている。
【００２５】
受け口４６は領域３６に設けられており、この受け口はピン３６を受ける機能を有する。
【００２６】
タブ１６は、フィルムヒンジ４８によってフラップ１４に連結されている。タブ１６は図３に示されていないことに留意されたい。
【００２７】
各フラップ１４の下側（図３および４を参照）は、指で把持することができるように、５０にくぼみが設けられている。
【００２８】
切落し部（Ｃｌｉｐｓ）は、フラップ１４の５２に設けられている。
【００２９】
図１および２に示すアプリケータでは、巻かれたコンドームＣの縁リングＨ（図２および４）は、２つの谷の半体２２によって画定される円形の谷に押し込まれる。コンドームの閉じた端部は、半円形の内壁２４によって囲まれている円形の空間全体に延びており、コンドームの終端の乳頭状突起はこの空間内に位置している。
【００３０】
フラップ１４は次いで、図３および４に示す位置へ１８０度移動させられる。フラップが完全に折り畳まれる位置に達し、パーツ１２．１、１２．２の縁部を把持するとき、切落し部５２は変形し、それによってフラップ１４を定位置に保持する。フラップ１４が反転することにより、凹部４０は、隆起した領域となり、縁リングＨを収容する上方に開口した円形の谷を閉じる。領域４４の半径方向内周は、谷の内壁２４の半径方向外面に近接して位置する。コンドームは、前記内周と前記半径方向外面との間に残る円形の間隙を介して延びる。
【００３１】
タブは、図４に示す位置まで押し付けられ、乳頭状突起を平坦にして、それに空気が入るのを防止する。
【００３２】
アプリケータが（以下に記載するように）そのパッケージから取り出されると、アプリケータは分割線の両側で把持される。アプリケータを曲げると、２つのパーツ間の脆弱な連結が失われる。そのとき、縁リングＨのみが２つのパーツを一体に保持する。
【００３３】
勃起したペニスに沿ってアプリケータを摺動させると、コンドームは、縁リングから巻き出され、フラップの内周と円形の谷の内壁の半径方向外面との間の間隙を介して送り出される。
【００３４】
ここで図５〜１０を参照すると、図示されたアプリケータ１００は、１０２および１０４で表される２つのパーツを備えている。パーツ１０２（図５）は谷１０６を備えており、その谷１０６は、内側では、平面図では実質的に楕円形である壁１０８によって、外側では、外壁１１０によって囲まれている。外壁１１０は、壁１０８と概ね平行に延びており、直線状である長い側部部分１１２と、短い直線状の端部部分１１４と、部分１１２および１１４に結合する曲線状の部分１１６とを有している。
【００３５】
把持ハンドル１１８は、壁１１０から外向きに突出している。
【００３６】
壁１１０から上方へ突出するインターロックタブ１２０が設けられている。
【００３７】
パーツ１０２は半体で形成されてもよく、その半体は中心線Ｌに沿って接触する。しかしながら、扱いやすくするために、パーツ１０２は、中心線Ｌを横断して延びる、薄くかつもろく形成されたブリッジ連結を備えた単一の構成要素として形成されることが好ましい。
【００３８】
パーツ１０４は、壁１１０に形状が適合する壁１２２を備えている。壁１２２の受け口１２４は、壁１１０から突出しているロックタブ１２０を受ける。
【００３９】
壁１２２の各半体の内方に、概ね半楕円形状である内側縁部を有するフラップ１２６が存在する。半円形の切欠き１２８は、各フラップ１２６の縁部に設けられている。
【００４０】
把持ハンドル１３０は、壁１２２から外向きに突出しており、ハンドル１１８に形状が一致する。
【００４１】
各ハンドル１１８、１３０の各端部には、円形の孔１３４をその中に備えるタブ１３２がある。必要に応じて、パーツ１０２またはパーツ１０４のみがタブ１３２を有するが、双方がタブ１３２を有することはない。
【００４２】
パーツ１０４は、パーツ１０２と同様に、半体で形成されてもよい。しかしながら、パーツ１０４は、線Ｌ１を横断して延びる薄いブリッジを備える一体として形成されることが好ましい。
【００４３】
補強リブ１３６が設けられており、この補強リブ１３６は、図１０で見るとフラップ１２６の上面にある。
【００４４】
コンドームＣの縁リングＨ（図９）は、壁１０８および１１０によって囲まれた谷に押し込まれる。パーツ１０２が２つの半体で形成される場合、その半体を互いに結合するのは、見栄えよく（ｓｉｇｈｔｌｙ）引き伸ばされた縁リングである。コンドームの乳頭状突起は、概ね楕円形の開口部全体に広がり、その楕円形の開口部は、図５において１３８で表され、内壁１０８によって囲まれている。
【００４５】
切欠き部１２８を通じて潤滑剤が谷に供給されてもよい。パーツ１０４は、図６に示す位置から反転され、次いでパーツ１０２に押し付けられる。タブ１２０は受け口１２４に入り、それによってパーツ１０２、１０４を互いに連結する。
【００４６】
フラップ１２６は、図１から４においてフラップ１４が谷２２内の縁リングを覆うのと同じ方式で、縁リングが中に配置されている谷を覆う。
【００４７】
フラップ１２６の内側縁部は壁１０８に隣接して位置しており、コンドームの円筒形壁のうちの乳頭状突起に隣接する部分が通過するのに十分な幅の間隙が存在している。
【００４８】
図９の１４０に示すように、ハンドル１１８、１３０は、連動してハンドルを一体に固定するタング及び溝を有することができる。
【００４９】
コンドームは、見当合わせの線ＬおよびＬ１に沿ってアプリケータを曲げ、２つの半体を引き離すことによって取り付けられる。薄い連結部がある場合、それらはこの段階で破られる。アプリケータはペニスに沿って摺動させられ、それによってコンドームが巻き出され、前記間隙を介して谷から送り出される。
【００５０】
コンドームが完全に巻き出されると、２つの半体は、ハンドル１１８、１３０を使用して互いに対して傾けられ、同時に引き離される。縁リングは、フラップ１２６を変位させ、そのとき分離した２つの半体となっているアプリケータから離れる。
【００５１】
図１２から１４に、図５から１０のアプリケータを含んでいるパッケージが示されている。パッケージは多層箔（積層体）を備えている。好ましい形態では、積層体は、アルミニウムの層とその両側のプラスチック材料の層との間に積層接着剤を用いたポリエステル−アルミニウム−ポリエチレンである。
【００５２】
この箔は、ストリップ形式で製造され、圧延される。ロールに沿って間隔を置いてミシン目の横断線がある。各ミシン目は、たとえば、それ自体と次のミシン目との間に１ｍｍの間隙を有する１ｍｍの長さであってもよい。ミシン目は、ポリエステル層は部分的に貫くが、ポリエチレンまたはアルミニウム層は貫かずに切り込まれる。
【００５３】
ミシン目の各行の各端部で箔が切断される。切れ目は、好ましくはＶ字型であり、内側に向かって、たとえばストリップの縁部から２ｍｍだけ延びている。ミシン目は、したがって切れ目の間に延びている。
【００５４】
２枚の箔ストリップが前方に送られ、アプリケータは、ミシン目の線がアプリケータを横切る状態で、前進する下側のストリップに配置される。次いで、好ましくはアルミニウムのフォーマーを加熱すると、アプリケータを封じ込める実質的に正方形のシールＳが生成される。
【００５５】
アプリケータを取り出すには、ミシン目の線に沿ってパッケージを引き裂く。切り目は、裂く動作を開始するのに役立つ。
【００５６】
箔は、パッケージの中でアプリケータの位置決めをするための孔１３４を介して密封されてもよい。
【図面の簡単な説明】
【００５７】
【図１】広げられたコンドームアプリケータの絵画図である。
【図２】図１のアプリケータの中心線に沿って取られた縦断面図である。
【図３】折り畳まれたコンドームアプリケータの絵画図である。
【図４】図３の折り畳まれたコンドームアプリケータの中心線における断面図である。
【図５】さらなるコンドームアプリケータの一方の部分の平面図である。
【図６】コンドームアプリケータのさらなる部分の平面図であり、この部分はその使用位置から反転させて示されている。
【図７】組み立てられたコンドームアプリケータの縁面図である。
【図８】組み立てられたコンドームアプリケータの側面図である。
【図９】図８の線ＩＸ−ＩＸにおける断面図である。
【図１０】組み立てられたアプリケータの上部の絵画図である。
【図１１】反転させた位置にある組み立てられたアプリケータの絵画図である。
【図１２】包装されたアプリケータの絵画図である。
【図１３】図１２の包装されたアプリケータの縁面図である。
【図１４】図１２の包装されたアプリケータの側面図である。
【図１】
2007537026.tif 000003
【図２】
2007537026.tif 000004
【図３】
2007537026.tif 000005
【図４】
2007537026.tif 000006
【図５】
2007537026.tif 000007
【図６】
2007537026.tif 000008
【図７】
2007537026.tif 000009
【図８】
2007537026.tif 000010
【図９】
2007537026.tif 000011
【図１０】
2007537026.tif 000012
【図１１】
2007537026.tif 000013
【図１２】
2007537026.tif 000014
【図１３】
2007537026.tif 000015
【図１４】
2007537026.tif 000016
【国際調査報告】
2007537026.tif 000017
2007537026.tif 000018
2007537026.tif 000019
2007537026.tif 000020
2007537026.tif 000021